(57)【要約】【課題】機器の姿勢変化に応じてユーザの所望する処理を確実に行なうことができる電子機器を提供する。【解決手段】複数の角度範囲のそれぞれに対応付けられた処理を記憶する記憶部２０と、該機器の傾斜角度を検出する検出部１８と、前記検出部により検出された該機器の傾斜角度を前記記憶部に記憶されている複数の角度範囲の中の所定の角度範囲に対応付けることを指示する指示部８と、前記指示部による指示が行われた後に、前記検出部により検出された該機器の傾斜角度に基づいて、前記記憶部に記憶されている複数の角度範囲の中の対応する角度範囲に対応付けられている処理を行う制御部１２とを備える。【選択図】  図２
2014220736.tif 000002
【特許請求の範囲】
【請求項１】
複数の角度範囲のそれぞれに対応付けられた処理を記憶する記憶部と、
該機器の傾斜角度を検出する検出部と、
前記検出部により検出された該機器の傾斜角度を前記記憶部に記憶されている複数の角度範囲の中の所定の角度範囲に対応付けることを指示する指示部と、
前記指示部による指示が行われた後に、前記検出部により検出された該機器の傾斜角度に基づいて、前記記憶部に記憶されている複数の角度範囲の中の対応する角度範囲に対応付けられている処理を行う制御部と、
を備えることを特徴とする電子機器。
【請求項２】
前記所定の角度範囲は、水平を含む角度範囲であることを特徴とする請求項１記載の電子機器。
【請求項３】
前記所定の角度範囲は、前回の処理が対応付けられている角度範囲であることを特徴とする請求項１記載の電子機器。
【請求項４】
前記複数の角度範囲を表示する表示部を備えることを特徴とする請求項１〜３の何れか一項に記載の電子機器。
【請求項５】
前記表示部に前記制御部により実行される処理を表示する表示制御部を備えることを特徴とする請求項４記載の電子機器。
【請求項６】
ユーザが該機器を傾斜させるためのガイダンスを出力する出力部を備えることを特徴とする請求項１〜５の何れか一項に記載の電子機器。
【請求項７】
該機器は、撮像装置であり、前記処理は、撮影モードの設定処理であることを特徴とする請求項１〜６の何れか一項に記載の電子機器。
【発明の詳細な説明】
【技術分野】
【０００１】
本発明は、電子機器に関するものである。
【背景技術】
【０００２】
従来、装置を傾けて画像送りを行なう等、装置を傾ける操作に応じて特定の処理を行なう画像表示装置が知られている（例えば、特許文献１参照）。
【先行技術文献】
【特許文献】
【０００３】
【特許文献１】特開２０１０−９５７５号公報
【発明の概要】
【発明が解決しようとする課題】
【０００４】
しかし、上述の画像表示装置においては、ユーザの姿勢と関係なく垂直方向に対する装置の傾斜角度を検出するので、ユーザの姿勢が傾いた状態で画像表示装置の操作を行なった場合等にはユーザの意図と異なる処理が実行される場合がある。特に水中で画像表示装置が使用された場合には、水中を漂っているユーザの姿勢は傾きやすいため、ユーザの感覚による画像表示装置の傾きと実際の画像表示装置の傾きとにズレが生じて、ユーザの意図と異なる処理が実行され易い。
【０００５】
本発明の目的は、機器の姿勢変化に応じてユーザの所望する処理を確実に行なうことができる電子機器を提供することである。
【課題を解決するための手段】
【０００６】
本発明は以下のような解決手段により上記課題を解決する。
【０００７】
本発明の電子機器は、複数の角度範囲のそれぞれに対応付けられた処理を記憶する記憶部と、該機器の傾斜角度を検出する検出部と、前記検出部により検出された該機器の傾斜角度を前記記憶部に記憶されている複数の角度範囲の中の所定の角度範囲に対応付けることを指示する指示部と、前記指示部による指示が行われた後に、前記検出部により検出された該機器の傾斜角度に基づいて、前記記憶部に記憶されている複数の角度範囲の中の対応する角度範囲に対応付けられている処理を行う制御部とを備えることを特徴とする。
【発明の効果】
【０００８】
本発明によれば、電子機器の姿勢変化に応じてユーザの所望する処理を確実に行なうことができる。
【図面の簡単な説明】
【０００９】
【図１】実施の形態に係る電子カメラの外観を示す背面図である。
【図２】実施の形態に係る電子カメラのシステム構成を示すブロック図である。
【図３】実施の形態に係る電子カメラの傾きを示す図である。
【図４】実施の形態に係る角度範囲と撮影モードとの関係を示す図
【図５】実施の形態に係る各撮影モードに対応する角度範囲を示すテーブルである。
【図６】実施の形態に係るユーザの姿勢を示す図である。
【図７】実施の形態に係る撮影モードに対応する角度範囲の変更例を示す図である。
【図８】実施の形態に係る撮影モードに対応する角度範囲の変更例を示す図である。
【発明を実施するための形態】
【００１０】
以下、図面を参照して、本発明の実施の形態に係る電子機器としての電子カメラ（撮像装置）について説明する。図１は実施の形態に係る電子カメラ２の外観を示す背面図である。電子カメラ２は、防水機構を備える電子カメラであって、背面にはＬＣＤ等により構成された表示部４が設けられている。表示部４は、撮像素子１４（図２参照）からの撮像信号に基づくスルー画像、記録媒体２２（図２参照）に記録されている画像データに基づく動画像や静止画像を表示し、さらに各種設定を行なう際のメニュー画面、撮影に関する情報を表示する。
【００１１】
また電子カメラ２の背面には、表示部４の表示画面に重ねて配置されたタッチパネル６、制御ボタン８が設けられている。タッチパネル６は、表示部４に接触した指の位置を検出し、検出した指の位置に定義づけられた入力操作を受け付ける。制御ボタン８は、姿勢変化の検出に基づく処理が有効である場合に、電子カメラ２の傾斜角度の基準の位置を変更するためのボタンである。また電子カメラ２の上面には撮影開始の指示を行なうレリーズボタン１０が設けられている。
【００１２】
図２は実施の形態に係る電子カメラ２のシステム構成を示すブロック図である。電子カメラ２は、各部を統括的に制御するＣＰＵ１２を備えている。ＣＰＵ１２には、表示部４、タッチパネル６、撮像素子１４、操作部１６、加速度センサ１８、記憶部２０が接続され、更にメモリーカード等の記録媒体２２が不図示のカードスロットを介して接続されている。
【００１３】
撮像素子１４は、ＣＣＤまたはＣＭＯＳ等により構成され撮影レンズを介した被写体光を撮像し、撮像信号をＣＰＵ１２に対して出力する。操作部１６は、制御ボタン８、レリーズボタン１０等を含んでいる。加速度センサ１８は、電子カメラ２に作用する重力方向の加速度を検出してＣＰＵ１２に対して出力する。これにより電子カメラ２が図３の実線で示す底面が水平面と平行な横置きの状態から、図３の点線で示すように傾斜した場合、ＣＰＵ１２は、加速度センサ１８の検出結果に基づいて電子カメラ２の傾斜角度θを検出する。
【００１４】
記憶部２０には、撮影モードの設定処理、シャッター速度の設定処理、画像送り処理等の処理種別ごとに、処理の内容と、処理の内容に対応付けられた電子カメラ２の傾斜角度の範囲である角度範囲とを示すテーブルが記憶されている。なお、ここでの傾斜角度は、図４に示すように電子カメラ２が横置きの状態のときを０°とし、電子カメラ２を背面側から見て左回りを正の方向として設定されている。
【００１５】
例えば、撮影モードの設定処理については、５つの撮影モードと各撮影モードに対応付けられた傾斜角度の角度範囲とを示すテーブルが記憶されている。このテーブルにおいては、図４、図５に示すように撮影モード１に角度範囲３１１°〜３３０°が対応付けられ、撮影モード２に角度範囲３３１°〜３５０°が対応付けられ、撮影モード３に角度範囲３５１°〜１０°が対応付けられ、撮影モード４に角度範囲１１°〜３０°が対応付けられ、撮影モード５に角度範囲３１°〜５０°が対応付けられている。
【００１６】
また、シャッター速度の設定処理については、各シャッター速度に対応付けられた角度範囲を示すテーブルが記憶されており、画像送り処理については、１枚、５枚、１０枚等の各送り枚数に対応付けられた角度範囲を示すテーブルが記憶されている。
【００１７】
次に、電子カメラ２の傾斜角度の基準の位置を変更して撮影モードを設定する処理について説明する。ユーザがタッチパネル６を操作することにより、撮影モードの設定開始指示を行なうと、ＣＰＵ１２は加速度センサ１８の検出結果に基づいて電子カメラ２の傾斜角度を検出し、記憶部２０に記憶されているテーブルを参照し、傾斜角度に該当する角度範囲とその角度範囲に対応付けられた撮影モードを特定する。ＣＰＵ１２は、特定した撮影モードを示すメッセージを表示部４に表示する。なおＣＰＵ１２は、撮影モードの設定開始が指示されたときに図４に示すような複数の角度範囲と撮影モードとを示した画面を表示部４に表示し、電子カメラ２をどのように傾斜させれば所望の撮影モードを設定できるかをユーザに示すようにしてもよい。
【００１８】
ここで、通常ユーザは、図６（ａ）に示すように電子カメラ２を横置きの状態で保持して操作するが、例えば水中において電子カメラ２の操作を行なう場合等、図６（ｂ）に示すように電子カメラ２が横置きの状態から所定の傾斜角度θ、傾斜した状態で電子カメラ２の操作を行なう場合がある。
【００１９】
従って、ユーザが電子カメラ２の基準の位置を変更したいと考える場合には、制御ボタン８を押下して電子カメラ２の傾斜角度の基準の位置を変更する。ＣＰＵ１２は、制御ボタン８が押下されたとき、加速度センサ１８の検出結果に基づいて電子カメラ２の傾斜角度θを検出する。そしてＣＰＵ１２は、傾斜角度θが各撮影モードに対応する角度範囲の中の水平を含む角度範囲に対応するように（傾斜角度θで傾斜した状態を横置きの状態とみなすように）記憶部２０に記憶されているテーブルの撮影モードに対応付けられた角度範囲を変更する。
【００２０】
例えばＣＰＵ１２は、検出した傾斜角度θが図６（ｂ）に示すように正の方向の傾斜である場合には、図７に示すように撮影モードに対応付けられたそれぞれの角度範囲から傾斜角度θを減算する。またＣＰＵ１２は、検出した傾斜角度θが負の方向の傾斜である場合には、図８に示すように撮影モードに対応付けられたそれぞれの角度範囲に傾斜角度θを加算する。
【００２１】
制御ボタン８の押下後、ユーザは、撮影モードを設定するために改めて電子カメラ２を傾ける操作を行ない、所望の角度に傾斜させて制御ボタン８を離す。ＣＰＵ１２は制御ボタン８が離されたときの加速度センサ１８の検出結果に基づいて検出した傾斜角度に基づいて記憶部２０に記憶されているテーブルを参照し、傾斜角度に該当する角度範囲とその角度範囲に対応付けられた撮影モードを特定する。またＣＰＵ１２は、撮影モードを示すメッセージを表示部４に表示する。ＣＰＵ１２は特定した撮影モードの設定を確定する処理を行ない、これによって撮影モードの設定処理を終了する。
【００２２】
本実施の形態に係る電子カメラ２によれば、電子カメラ２の傾斜角度に応じて各撮影モードに対応付けられた角度範囲を変更するので、ユーザが垂直に対して傾斜した状態で電子カメラ２を操作した場合でも、電子カメラ２の姿勢変化に応じてユーザの所望する撮影モードの設定を確実に行なうことができる。
【００２３】
なお、上述の実施の形態においては、電子カメラ２を傾ける操作によって撮影モードの設定処理を行なったが、これに限らず電子カメラ２を傾ける操作によって画像送り処理、シャッター速度の設定処理、露出補正量の設定処理、絞り値の設定処理、ＩＳＯ感度の設定処理等を行なってもよい。
【００２４】
また、上述の実施の形態においては、制御ボタン８が押下されたときの電子カメラ２の傾斜角度を水平を含む、即ち０°を含む角度範囲に対応付けるように各撮影モードに対応する角度範囲を変更しているが、制御ボタン８が押下されたときの電子カメラ２の傾斜角度を、前回の撮影時に設定されていた撮影モードの角度範囲に対応付けるように各撮影モードに対応する角度範囲を変更するようにしてもよい。
【００２５】
また、上述の実施の形態において、ユーザが電子カメラ２を傾けるのが困難な角度範囲、例えば５１°〜７０°の角度範囲に特定の処理が対応付けられている場合には、ユーザにとって扱い易い角度範囲に変更させるためのガイダンスを行なってもよい。即ちＣＰＵ１２は、「左回りに電子カメラ２を傾斜させて制御ボタン８を押下して下さい」等のガイダンスを表示部４に表示したり、不図示のスピーカから音声案内を出力してもよい。
【００２６】
また、上述の実施の形態においては、電子カメラ２を例として説明したが、タブレット端末、スマートフォン、ＰＤＡ等の他の電子機器においても適用することができる。
【符号の説明】
【００２７】
２…電子カメラ、４…表示部、６…タッチパネル、８…制御ボタン、１４…撮像素子、１６…操作部、１８…加速度センサ、２０…記憶部。
【図１】
2014220736.tif 000003
【図２】
2014220736.tif 000004
【図３】
2014220736.tif 000005
【図４】
2014220736.tif 000006
【図５】
2014220736.tif 000007
【図６】
2014220736.tif 000008
【図７】
2014220736.tif 000009
【図８】
2014220736.tif 000010